(57)【要約】【課題】分離された検体が混合されたり、検体が外部に漏れ出ることがなく、検体の量を正確に採取または出力することができる多用途検体採集器を提供すること。【解決手段】外筒１の前端に針を付ける筒先１３を備え、外筒１の表面に第１目盛１１１を備えた第１目盛区域１１と、第１目盛１１１と逆向きの第２目盛１２１を備えた第２目盛区域１２を形成し、プランジャー２がボルト部２１を備え、外筒１内に設置したガスケット３がボルト部２１と結合可能な雌ネジ穴３１を備え、第１キャップ４はつまみ４１と、筒先１３に結合可能な雌ネジ穴４２と、筒先１３に挿入するピン部４３を含み、第２キャップ５の一端に雌ネジ穴３１と着脱するボルト部５１を設け、他端につまみ５２を設け、外筒１の後端にガスケット３の脱出を規制するストッパ部１４が設けられ、第２キャップ５とプランジャー２とは択一的にガスケット３に結合される。【選択図】図３
0003213458.tif 000002
【実用新案登録請求の範囲】
【請求項１】
多用途検体採集器であって、外筒と、プランジャーと、ガスケットと、第１キャップと、第２キャップと、を含み、
前記外筒が前端に針と相互に結合される筒先を備え、その中段部及び後端は同じ外径を有し、前記外筒の周面に第１目盛区域と第２目盛区域が形成され、前記第１目盛区域が第１目盛を備え、前記第２目盛区域が前記各第１目盛と逆に表示された第２目盛を備え、
前記プランジャーが、前記ガスケットに対して着脱可能に結合されるボルト部を備え、前記外筒内部に可動的に設置され、
前記ガスケットが前記外筒内部に設置され、前記プランジャーに設けられた前記ボルト部と着脱可能に結合される雌ネジ穴を備え、
前記第１キャップが、つまみと、前記つまみ内に設けられ、かつ前記筒先に着脱可能に結合される雌ネジ穴と、前記雌ネジ穴内に設けられ、かつ前記筒先内に挿入されるピン部を含み、前記第１キャップが前記外筒の前端に着脱可能に結合されて前記外筒の前端を封鎖し、
前記第２キャップが、一端に前記ガスケットの雌ネジ穴と着脱可能に結合されるボルト部を備え、他端につまみが設けられ、
前記外筒の後端に、前記ガスケットの脱出を規制する少なくとも１つのストッパ部が設けられ、前記第２キャップと前記プランジャーとは択一的に前記ガスケットに結合され、前記第２キャップは前記外筒の後端を封鎖可能である、
ことを特徴とする、多用途検体採集器。
【考案の詳細な説明】
【技術分野】
【０００１】
本考案は、血液等の検体の採集、保存、遠心分離処理可能、外部漏洩防止等の機能を備え、試験管に効果的に代わる多用途検体採集器に関する。
【背景技術】
【０００２】
検体（例：血液）の採集を行うとき、通常は従来の注射器を利用して検体の採取を行う。一般的な注射器は、主に外筒Ａ、外筒Ａの前端に設置された針Ｂ、外筒Ａの内部に設置されたガスケットＣ、ガスケットＣと組み立てられ、外筒Ａの後方に位置するプランジャーＤで構成される（図示しない）。
使用時は、針Ｂを人体の血管内に侵入させ、同時にプランジャーＤを引いて、外筒Ａの内部を負圧とし、血液を採取して検体とし、外筒Ａ中に保存する。検体の採取後は、針Ｂを試験管中に挿入し、プランジャーＤとガスケットＣの組み合わせを利用して、外筒Ａ中の検体を別の試験管（図示しない）に注入し、試験管を遠心分離機に設置して検体を分離すると、検体が試験管内で多層に分離され、再び針で異なる層の検体を吸い取り（図示しない）、検体採集の工程が完了する。
【０００３】
しかしながら、以上で述べた従来の検体採集の流れは手間がかかり、特に採取した血液を外筒Ａに保存した後、外筒Ａ内の血液を別の試験管に注入しなければならず、採集過程で血液を注射器、試験管、点滴管等、異なる容器に移す必要があり、血液が外部汚染を受けるリスクが大幅に増加し、また検体採集のコストが高くなる。
【０００４】
上述の欠点及び採集の流れの改善のために、主に前述の注射器の外筒Ａを利用して試験管に直接置き換える改良をしている業者もある。即ち、針Ｂを人体の血管内に侵入させて同時にプランジャーＤを引き、人体の血液を採取して検体とし、外筒Ａに保存した後、直接外筒Ａ前端の針Ｂと後端のプランジャーＤを取り外し、外筒Ａの前端及び後端を封鎖することで（図示しない）、検体を入れた外筒Ａを直接一般的な試験管として使用することができ、それを遠心分離機に入れて血漿を分離し、分離後再度外筒Ａの前端と後端のプラグを取り外してプランジャーＤを取り付け、前記プランジャーＤを押して直接前部の脂肪水分等の異物を押し出し、排除した後、中間部の血漿を測定容器内へと押し出すことができる。これにより採集の流れと使用する器具が簡素化される。
【０００５】
しかしながら、上述の改良方式は長期的に使用する場合、多くの不便な点がある。その原因は、採用しているのが一般的な旧来の注射器であり、一般的な注射器は外筒Ａの後端開口部周囲にフランジＡ１が張り出しており（図１参照）、注射時に医療スタッフが注射器を制御しやすく、親指でプランジャーに施力できるようになっているためである。このようなフランジＡ１を備えた外筒Ａは遠心分離機上に設置できないため、外筒Ａを上下逆にして設置し、外筒Ａの前端が下になる。しかし、これによって分離された赤血球ＲＢＣが外筒Ａの前端にきて（図２参照）、血漿が外筒Ａの中間部にくるため、プランジャーＤで実際にガスケットＣを押し動かすとき、体積がより小さい血漿で体積がより大きい赤血球を押して外筒Ａの外に排出させることが難しく、血漿とその前端の赤血球ＲＢＣが再び混合されてしまい、遠心分離機で分離された血漿を取り出せず、徒労となる。
【考案の概要】
【考案が解決しようとする課題】
【０００６】
本考案が解決しようとする課題は、上述の問題を解決し、遠心分離機で分離された検体が混合されてしまう心配がなく、検体が外部に漏れ出て汚染や感染等の事故を引き起こすこともなく、検体の量を正確に採取または出力することができる多用途検体採集器を提供することにある。
【課題を解決するための手段】
【０００７】
本考案の多用途検体採集器は、外筒と、プランジャーと、ガスケットと、第１キャップと、第２キャップとを含み、前記外筒が前端に針と相互に結合される筒先を備え、その中段部及び後端は同じ外径を有し、前記外筒の周面に第１目盛区域と第２目盛区域が形成され、前記第１目盛区域が第１目盛を備え、前記第２目盛区域が前記各第１目盛と逆に表示された第２目盛を備え、前記プランジャーが、前記ガスケットに対して着脱可能に結合されるボルト部を備え、前記外筒内部に可動的に設置され、前記ガスケットが前記外筒内部に設置され、前記プランジャーに設けられた前記ボルト部と着脱可能に結合される雌ネジ穴を備え、前記第１キャップが、つまみと、前記つまみ内に設けられ、かつ前記筒先に着脱可能に結合される雌ネジ穴と、前記雌ネジ穴内に設けられ、かつ前記筒先内に挿入されるピン部を含み、前記第１キャップが前記外筒の前端に着脱可能に結合されて前記外筒の前端を封鎖し、前記第２キャップが、一端に前記ガスケットの雌ネジ穴と着脱可能に結合されるボルト部を備え、他端につまみが設けられ、前記外筒の後端に、前記ガスケットの脱出を規制する少なくとも１つのストッパ部が設けられ、前記第２キャップと前記プランジャーとは択一的に前記ガスケットに結合され、前記第２キャップは前記外筒の後端を封鎖可能である。
【考案の効果】
【０００８】
本考案によれば、検体を外筒に採取した後、針とプランジャーを取り外してそれぞれ第１キャップと第２キャップで外筒を封鎖し、後続の検体遠心分離作業等を直接行い、その後再び第１キャップと第２キャップを取り外し、プランジャーを組み合わせて外筒から必要または不必要な検体物質を出力することができ、検体の採取と出力の二つの機能を達成できる。
また、外筒の後端開口箇所に少なくとも１つのストッパ部が設置され、ガスケットが外筒内部で後退できる範囲を限定するために用いられ、前記ガスケットがうっかり外筒から引き出されて、検体が外部に漏れ出ることを阻止する
さらに、外筒の周面に互いに逆向きに設置された第１目盛区域と第２目盛区域を利用して、検体の量を正確に採取または出力することができる。
【図面の簡単な説明】
【０００９】
【図１】従来の注射器の断面図である。
【図２】従来の注射器の使用状態における断面図である。
【図３】本考案の実施例を示す多用途検体採集器の一部を破断した分解側面図である。
【図４】本考案の実施例を示す多用途検体採集器の使用状態第１過程の断面図である。
【図５】本考案の実施例を示す多用途検体採集器の使用状態第２過程の断面図である。
【図６】本考案の実施例を示す多用途検体採集器の使用状態第３過程の断面図である。
【考案を実施するための形態】
【００１０】
以下、本考案の実施例を図面に基づいて詳細に説明する。
図３に示すように、本考案の多用途検体採集器は、少なくとも、外筒１と、プランジャー２と、ガスケット３と、第１キャップ４と、第２キャップ５で構成される。
外筒１の中段部及び後端は同じ外径を有し、外筒１の周面には第１目盛区域１１と第２目盛区域１２が設けられる。第１目盛区域１１は、外筒１内部の検体の量を軸方向に沿って表示した複数の第１目盛１１１を備え、第２目盛区域１２は各第１目盛１１１と逆に表示された複数の第２目盛１２１を備えている。即ち、第１目盛１１１は、外筒１の前から後に向かって次第に量が増すよう表示され、第２目盛１２１は、外筒１の後から前に向かって次第に量が増すよう表示されている。
【００１１】
外筒１の前端には筒先１３が設けられ、外筒１の後端内部にストッパ部１４が設置される。
筒先１３は針と相互に結合され、筒先の外面には雄ネジが形成される。
ストッパ部１４は環状に形成され、ストッパ部１４の内径はプランジャー２の最大外径より大きく、且つ、ガスケット３の外径より小さい。また、ストッパ部１４の外径は、外筒１の内周面に対して密着される大きさとする。
【００１２】
プランジャー２は外筒１内に可動的に設置され、プランジャー２の一端にボルト部２１が設けられる。
ガスケット３は、プランジャー２のボルト部２１と着脱可能に結合される雌ネジ穴３１を備えており、プランジャー２の一端に取り外し可能に結合される。また、ガスケット３は、ストッパ部１４よりも前方において、外筒１内に位置している。
ガスケット３は外筒１の内部で往復するが、ストッパ部１４がガスケット３の後退する範囲を規制するため、ガスケット３がうっかり外筒１の後端から外部に引き出され、検体が外部に漏れ出ることが阻止される。
【００１３】
第１キャップ４は外筒１の前端に着脱可能に結合される。また、第１キャップ４は、つまみ４１と、つまみ４１内に設置され、かつ筒先１３と着脱可能に結合される雌ネジ穴４２と、雌ネジ穴４２内に設置され、かつ筒先１３内に挿入されるピン部４３とを含む。
【００１４】
第２キャップ５は、プランジャー２を取り外した後、ガスケット３と着脱可能に結合される。第２キャップ５の一端にガスケット３に設けられた雌ネジ穴３１と着脱可能に結合されるボルト部５１が設けられ、他端につまみ５２が設けられる。
第１キャップ４及び第２キャップ５の外部形状は遠心分離機の座体に合わせることができ、外筒１は第１キャップ４を下に向けても、または第２キャップ５を下に向けても、安定して遠心分離機に設置して遠心分離作業を行うことができる（図示しない）。
【００１５】
本考案の多用途検体採集器を使用する時は（血漿の分離を例とする）、図４に示すように、針６を外筒１の筒先１３に結合し、プランジャー２のボルト部２１とガスケット３の雌ネジ穴３１を結合して、針６を人体の血管に挿入し、プランジャー２を引いて血液を外筒１内に採取する。
採取時は第１目盛区域１１の第１目盛１１１で必要な採取量を観測する。また、プランジャー２を大きく引きすぎても、ストッパ部１４によりガスケット３が外筒１から外れることを阻止できる。
【００１６】
採取後は、針６とプランジャー２をそれぞれ外筒１の筒先１３とガスケット３の雌ネジ穴３１から取り外した後、図５に示すように、第１キャップ４の雌ネジ穴４２を外筒１の筒先１３に対応させ、回す力をつまみ４１に加えて、雌ネジ穴４２と筒先１３を相互に結合させると同時に、ピン部４３を筒先１３内に挿入する。
その後、さらに、第２キャップ５のボルト部５１をガスケット３の雌ネジ穴３１に対応させ、回す力をつまみ５２に加えて、ボルト部５１と雌ネジ穴３１を相互に結合させる。これにより、第１キャップ４と第２キャップ５で外筒１の前端開口部及び後端開口部を封鎖し、外筒１内の血液を保存することができる。
【００１７】
外筒１に第１キャップ４と第２キャップ５を結合した後、血液が保存された外筒１を遠心分離機内に直接入れて高速遠心分離を行い、血漿を分離することができる。
この時、外筒１は中断部と後端が同じ外径となっているので、外筒１の後端を下にして遠心分離機に設置することができ、この結果、分離された赤血球が、外筒Ａの前端ではなく、外筒Ａの後端に溜まり、血漿が赤血球の前方に溜まる。
【００１８】
分離終了後は、まず第２キャップ５をガスケット３から取り外し、図６に示すように、プランジャー２を取り付けた後、第１キャップ４を筒先１３から取り外す。
この状態で、プランジャー２を押してガスケット３を前進させ、血漿を外筒１の一端の筒先１３から出力することができ、かつ出力時第２目盛区域１２の第２目盛１２１で必要な出力量を観測することができる。
この時、体積が大きい赤血球ＲＢＣが外筒１の後端に位置し、その前方に体積が小さい血漿体積が位置するので、体積が大きい赤血球ＲＢＣを利用して体積が小さい血漿を外筒Ａの筒先１３から外部に排出することができ、うっかり一体として混合されてしまうことがない。
【００１９】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００２０】
１        外筒
１１      第１目盛区域
１１１    第１目盛
１２      第２目盛区域
１２１    第２目盛
１３      筒先
１４      ストッパ部
２        プランジャー
２１      ボルト部
３        ガスケット
３１      雌ネジ穴
４        第１キャップ
４１      つまみ
４２      雌ネジ穴
４３      ピン部
５        第２キャップ
５１      ボルト部
５２      つまみ
６        針
【図１】
0003213458.tif 000003
【図２】
0003213458.tif 000004
【図３】
0003213458.tif 000005
【図４】
0003213458.tif 000006
【図５】
0003213458.tif 000007
【図６】
0003213458.tif 000008